【手続補正書】
【提出日】令和3年8月31日(2021.8.31)
【手続補正１】
【補正対象書類名】特許請求の範囲
【補正対象項目名】全文
【補正方法】変更
【補正の内容】
【特許請求の範囲】
【請求項１】
水平に延在する衣類受けアームを少なくとも１つ有する衣類印刷機のための機構であって、
前記衣類受けアーム上のプラテン支持部と、
前記プラテン支持部から自由に取り外し可能な可搬式プラテンとを備え、
前記可搬式プラテンは、平坦で水平な上向きの支持面を有する、水平に延在する衣類載置部を含み、
前記載置部は、その上に位置付けられた衣類の少なくとも印刷受け部を前記可搬式プラテンに対して移動不能にし、かつ、前記衣類の前記印刷受け部を付勢して前記可搬式プラテンの前記上向きの支持面に接触させるための装置をさらに含み、
前記可搬式プラテンおよび前記プラテン支持部は合わせて、接合する少なくとも１つの垂直に延在する突出部および少なくとも１つの垂直に延在する凹部の位置決めセットを少なくとも１つ有し、
前記突出部および前記凹部は、前記可搬式プラテンが前記プラテン支持部上に接触して存在しているとき、垂直に互いに摺動可能かつ互いに係合可能であり、
前記突出部および前記凹部は、前記可搬式プラテンが前記プラテン支持部よりも上方に上昇しているとき、互いに係合解除するように垂直に摺動可能であり、
前記可搬式プラテンが前記プラテン支持部上に存在するとき、各位置決めセットにおける前記突出部が各位置決めセットにおける前記凹部内に延在することによって、前記可搬式プラテンは、前記プラテン支持部に対して垂直運動以外のすべての運動ができなくなるように移動不能となり、
前記可搬式プラテンが前記プラテン支持部よりも上方に上昇したとき、各位置決めセットにおける前記突出部および前記凹部は互いに係合解除して、前記可搬式プラテンが自由に移動可能になり、前記プラテン支持部から完全に分離される、機構。
【請求項２】
嵌合する突出部および凹部の複数の位置決めセットをさらに備える、請求項１に記載の機構。
【請求項３】
前記突出部は、前記プラテンから垂下する複数の位置決めピンとして形成され、
前記凹部は、前記プラテン支持部において設けられた、対応する複数の位置決め穴として形成されている、請求項２に記載の機構。
【請求項４】
上向きの静止作業面上で用いられるマスター衣類装填／取出しステーションをさらに備え、
前記マスターステーションは、平坦上面および下面を有する組立台と、前記作業面の上方に離隔して前記組立台を保持するために前記組立台の前記下面に固定されたマスター支持部とを含み、
前記組立台には、前記プラテンの前記位置決めピンを受け入れる位置決め穴が設けられ、
衣類装填／取出し位置において前記プラテンは前記組立台上に支持されており、前記位置決めピンが前記組立台における前記位置決め穴に係合することによって、前記プラテンは前記組立台に対して水平運動不能になり、
前記位置決めピンと前記位置決め穴とが互いに係合解除しているとき、前記プラテンは前記マスターステーションに対して自由に独立して移動可能である、請求項３に記載の機構。
【請求項５】
前記位置決めピンおよび前記位置決め穴は、すべて断面が円形である、請求項３に記載の機構。
【請求項６】
前記衣類はさらに前方部と後方部とを含み、それらの間に前記印刷受け部が位置しており、前記衣類はさらに捕捉部を含み、
前記衣類載置部はさらに、
下面と、前記衣類のうちの少なくとも前記印刷受け部を支持するための上面とを有する剛性ベースプレートと、
前記剛性ベースプレート上に固定された台座と、
平坦で剛性の印刷パネル支持プレートとを含み、
前記印刷パネル支持プレートは、底面と、前記平坦で水平な上向きの支持面を形成する頂面とを有し、
前記パネル支持プレートの前記底面が前記台座上に固定されており、
前記パネル支持プレートは、前記印刷パネル支持プレートの前記底面と前記ベースプレートの前記上面との間に対向する第１の隙間および第２の隙間を形成するように前記台座の上に張り出しており、それによって前記第１の隙間は前記衣類の前記捕捉部を受け入れるようになっており、前記衣類載置部はさらに、
前記衣類の前記前方部を付勢して前記ベースプレートの前記平坦上面に接触させるように前記衣類の前記前方部に係合可能な衣類押圧機構を含み、前記衣類載置部はさらに、
前記衣類の前記後方部に取り外し可能に係合可能な伸張装置を含み、前記伸張装置は、前記衣類の前記後方部を前記対向する隙間のうちの前記第２の隙間に付勢し、それによって前記衣類の前記印刷受け部を前後方向に伸張し、前記印刷受け部を付勢して前記印刷パネル支持プレートの前記平坦で水平な上向きの支持面に接触させることが可能である、請求項１に記載の機構。
【請求項７】
前記ベースプレートは、前後方向に延在する、横方向に離隔した１対の第１の側端縁および第２の側端縁を備えて形成されており、
前記衣類押圧機構は、
近位端および遠位端を有する押さえバーと、
前記ベースプレートの前記側端縁のうちの前記第１の側端縁に位置する連結式ダブルヒンジジョイントとを備えて形成されており、前記連結式ダブルヒンジジョイントは、水平回転軸および垂直回転軸の両方を中心とする前記押さえバーの回転を許容するように前記押さえバーの前記近位端に固定されており、前記衣類押圧機構はさらに、
前記ベースプレートの前記側端縁のうちの前記第２の側端縁に位置する押さえバー留め具を備えて形成されており、
前記押さえバーは、展開位置および収納位置まで回転可能であり、
前記展開位置では、前記押さえバーは、前記ベースプレートの前記上面の上方において前記ベースプレートから離隔して前記ベースプレートにわたって延在し、かつ、前記衣類の前記前方部を前記ベースプレートの前記上面に押し付けるように前記押さえバー留め具に係合可能であり、
前記収納位置では、前記押さえバーは、前記ベースプレートの前記側端縁のうちの前記第１の側端縁に沿って延在する、請求項６に記載の機構。
【請求項８】
前記ダブルヒンジ装置および前記押さえバー留め具はともに、前記ベースプレートの前記上面の高さ以下の位置まで移動可能である、請求項７に記載の機構。
【請求項９】
前記プラテン支持部は、前記衣類印刷機の前記衣類受けアームから分離可能であり、
前記プラテン支持部の下面には垂下位置決めデバイスが設けられ、前記垂下位置決めデバイスは、前記プラテン支持部が前記衣類受けアーム上に支持されているとき、前記衣類印刷機の前記衣類受けアーム上の対応する位置決めレセプタクルに嵌合することによって、前記衣類受けアームに対する前記衣類支持部の水平運動を防止する、請求項１に記載の機構。
【請求項１０】
前記垂下位置決めデバイスおよび前記対応する位置決めレセプタクルのうちの少なくとも一部は、前記衣類支持部が前記衣類受けアームに対して水平運動することを抑止するが、自由に垂直運動することは許容する、請求項９に記載の機構。
【請求項１１】
プラテン支持部が固定されて水平に延在する衣類受けアームを少なくとも１つ有する衣類印刷機のための、プラテンおよび前記プラテン支持部の機構であって、
前記プラテンは前記プラテン支持部から自由に取り外し可能であり、
前記プラテンは、水平に延在する衣類載置部を含み、前記衣類載置部は、外縁のある平坦で水平な上向きの衣類支持面を有し、
前記載置部は、その上に位置付けられた衣類の少なくとも印刷受け部を前記プラテンに対して移動不能にし、かつ、前記衣類の前記印刷受け部を付勢して前記プラテンの前記水平で上向きの衣類支持面に接触させるための装置をさらに含み、
前記プラテンおよび前記プラテン支持部は合わせて、接合する少なくとも１つの垂直に延在する突出部および少なくとも１つの垂直に延在する凹部を有し、
前記突出部および前記凹部は、前記プラテンが前記プラテン支持部上に接触して存在しているとき、垂直方向に互いに摺動可能に係合可能であり、
前記突出部および前記凹部は、前記プラテンが前記プラテン支持部よりも上方に上昇して前記プラテン支持部から垂直方向に離隔しているとき、垂直方向に互いに摺動可能に係合解除可能であり、
前記プラテンが前記プラテン支持部上に存在するとき、前記突出部が前記凹部内に延在することによって、前記プラテンは、前記プラテン支持部に対して垂直運動以外のすべての運動ができなくなるように移動不能となり、
前記プラテンが前記プラテン支持部よりも上方に上昇したとき、前記突出部および前記凹部は互いに係合解除して、前記プラテンが前記プラテン支持部から自由に完全に分離される、機構。
【請求項１２】
前記プラテン支持部は、前記衣類印刷機の前記衣類受けアームから分離可能であり、
前記プラテン支持部の下面には垂下位置決めデバイスが設けられ、前記垂下位置決めデバイスは、前記衣類印刷機の前記衣類受けアーム上の対応するレセプタクルに嵌合することによって、前記衣類受けアームに対する前記衣類支持部の垂直方向以外の運動を防止する、請求項１１に記載の機構。
【請求項１３】
前記垂下位置決めデバイスの少なくとも一部の断面は長さに沿って均一であり、それによって、前記衣類受けアームに対する前記衣類支持部の垂直運動が制御可能である、請求項１２に記載の機構。
【請求項１４】
前記衣類載置部は、
上面および下面を有する平坦ベースプレートと、
前記上向きの衣類支持面を形成する平坦上面を有する印刷パネル支持プレートと、
前記印刷パネル支持部と前記ベースプレートの前記上面との間に少なくとも１つの隙間を形成するように前記ベースプレートと前記印刷パネル支持プレートとの間に介在するスペーシング機構とを含み、前記衣類載置部はさらに、
前記ベースプレートの前記下面に固定された、長手方向に延在する互いに平行な１対のガイド片を含み、
前記プラテン支持部は互いに平行な側端縁を有し、前記プラテン支持部の幅は長さに沿って均一であり、
前記プラテンが前記プラテン支持部上へ降下したとき、前記ガイド片は、前記プラテン支持部の前記側端縁に沿って存在することによって、前記プラテンの前記ベースプレートと前記プラテン支持部との間の横方向の相対運動を防止する、請求項１１に記載の機構。
【請求項１５】
接合する前記少なくとも１つの垂直に延在する突出部は、前記衣類載置部から垂下しており、
少なくとも１つの垂直に延在する凹部が設けられた組立台を含むマスター衣類装填／取出しステーションをさらに備え、前記少なくとも１つの垂直に延在する凹部は、前記少なくとも１つの垂直に延在する突出部を受け入れて当該突出部と接合して係合するように構成されており、
前記組立台に対する前記ベースプレートの横方向運動を防止するように、前記組立台は、前記プラテン支持部の前記幅と等しい均一な距離だけ互いに離隔する側端縁を有し、
前記組立台には、少なくとも１つの位置決め凹部が設けられるとともに、横方向に延在する窓が前記組立台を貫通して設けられており、
横方向に延在する回転軸を中心として回転し、前記プラテン組立台の前記横方向に延在する窓を通って突き出るように前記マスターステーションに装着された円柱状ローラをさらに備え、
前記プラテンベースプレートにも、横方向に延在する窓が貫通して設けられており、
前記プラテンが前記組立台上に位置付けられ、前記垂直に延在する突出部が前記組立台における前記垂直に延在する凹部と接合して係合して存在するとき、前記ローラは、前記組立台の前記窓および前記ベースプレートの前記窓を通って突き出るようになっている、請求項１４に記載の機構。
【請求項１６】
前記パネル支持プレートは、外縁を有し、前記スペーシング機構は、前記ベースプレートにおける前記窓から長手方向に離れて位置する、横方向に延在するスペーシング片を含み、
前記衣類の少なくとも前記印刷受け部を移動不能にするための前記装置は、前記印刷パネル支持プレート上に取り外し可能に位置付けられたフレームを含み、前記フレームは、前記上向きの衣類支持面の前記外縁の上方に存在して前記外縁を下向きに押圧する、請求項１５に記載の機構。
【手続補正２】
【補正対象書類名】明細書
【補正対象項目名】００２７
【補正方法】変更
【補正の内容】
【００２７】
図４〜図７に示すように、可搬式プラテン１６は、平坦剛性ベースプレート２０を含む、水平に延在する衣類載置部１８を含む。平坦剛性ベースプレート２０は、概ね不規則な六角形の形状をしており、下面２４と、上面２２と、幅の狭い互いに平行な１対のガイド片２６とを有する。ベースプレート２０の長さは約６  １／２インチであり、幅は約７  １／４インチである。ガイド片２６は、下面２４の横方向端部において下面２４から垂下しており、前後方向に延在している。長手方向に延在するガイド片２６は、矩形断面を有しており、ちょうどプラテン支持部１４の幅を収容するようにガイド片２６同士が離れている。ガイド片２６の目的は、衣類受けアーム１２の後端に固定されたプラテン支持部１４上の横方向中央にベースプレート２０が配置されることを確実にすることである。